(57)【要約】【課題】複数のＰＣやＰＯＳ端末で入力された決済情報が決済センタを介してＣＡＴ端末に提供され、ＣＡＴ端末で読み込まれたカード情報を用いて複数のＰＣで効率よく決済処理を実行する。【解決手段】前記情報処理装置は、操作者の入力に応じて、所定回数継続して課金される継続課金決済の決済情報及び契約者の契約情報を前記決済センタに送信し、操作者の入力に応じて前記カード決済処理端末での前記継続課金決済を選択した場合に、前記決済センタに、前記決済情報及び前記契約情報とともに、前記カード決済処理端末での前記継続課金決済であることを通知し、前記決済センタは、前記決済情報を前記カード決済処理端末に送信し、前記カード決済処理端末で読み込まれたカード情報に基づいて、前記決済情報に含まれる決済処理を実行し、前記カード情報及び前記決済処理に対応する承認番号を前記情報処理装置に送信し、前記情報処理装置は、前記受信した承認番号及び前記実行された決済処理の内容を表示画面に表示させる。【選択図】図１
2016218915.tif 000002
【特許請求の範囲】
【請求項１】
少なくとも１台のカード決済処理端末と、複数の情報処理装置と、決済センタとがネットワークを介して通信可能に接続されたカード決済システムであって、
前記情報処理装置は、
操作者の入力に応じて、所定回数継続して課金される継続課金決済の決済情報及び契約者の契約情報を前記決済センタに送信し、
操作者の入力に応じて前記カード決済処理端末での前記継続課金決済を選択した場合に、前記決済センタに、前記決済情報及び前記契約情報とともに、前記カード決済処理端末での前記継続課金決済であることを通知し、
前記決済センタは、
前記決済情報を前記カード決済処理端末に送信し、
前記カード決済処理端末で読み込まれたカード情報に基づいて、前記決済情報に含まれる決済処理を実行し、前記カード情報及び前記決済処理に対応する承認番号を前記情報処理装置に送信し、
前記情報処理装置は、
前記受信した承認番号及び前記実行された決済処理の内容を表示画面に表示させる、
ことを特徴とする、カード決済システム。
【請求項２】
前記決済センタは、
前記カード決済処理端末で読み込まれたカード情報に基づいて、前記継続課金決済の初回決済処理を実行し、該初回決済の決済結果を前記情報処理装置に送信し、
前記情報処理装置は、
前記受信した承認番号、前記初回決済の決済結果及び前記継続課金決済の２回目以降の決済情報を表示画面に表示させる、
ことを特徴とする、請求項１に記載のカード決済システム。
【請求項３】
前記情報処理装置は、
前記継続課金決済の初回決済処理時に前記カード決済処理端末で読み込まれたカード情報をもとに、前記継続課金決済の２回目以降の決済処理を実行する
ことを特徴とする、請求項２に記載のカード決済システム。
【請求項４】
前記決済センタは、
契約情報と前記カード決済処理端末で読み込まれたカード情報とを対応付けて登録内容一覧として記憶する
ことを特徴とする、請求項１に記載のカード決済システム。
【請求項５】
前記決済センタは、
前記実行された決済処理の情報と、前記承認番号とを対応付けて売上一覧として記憶する
ことを特徴とする、請求項１に記載のカード決済システム。
【請求項６】
少なくとも１台のカード決済処理端末と、複数の情報処理装置と、決済センタとがネットワークを介して通信可能に接続されたカード決済システムにおけるカード決済方法であって、
前記情報処理装置が、操作者の入力に応じて、所定回数継続して課金される継続課金決済の決済情報及び契約者の契約情報を前記決済センタに送信する第１のステップと、
前記情報処理装置が、操作者の入力に応じて前記カード決済処理端末での前記継続課金決済を選択した場合に、前記決済センタに、前記決済情報及び前記契約情報とともに、前記カード決済処理端末での前記継続課金決済であることを通知する第２のステップと、
前記決済センタが、前記決済情報を前記カード決済処理端末に送信する第３のステップと、
前記カード決済処理端末で読み込まれたカード情報に基づいて、前記カード情報及び前記決済処理に対応する承認番号を前記情報処理装置に送信する第４のステップと、
前記情報処理装置が、前記受信した承認番号及び前記実行された決済処理の内容を表示画面に表示させる第５のステップと、
を含むことを特徴とする、カード決済方法。
【請求項７】
前記第４のステップにおいて、前記決済センタが、前記カード決済処理端末で読み込まれたカード情報に基づいて、前記継続課金決済の初回決済処理を実行し、該初回決済の決済結果を前記情報処理装置に送信する第６のステップと、
前記第５のステップにおいて、前記情報処理装置が、前記受信した承認番号、前記初回決済の決済結果及び前記継続課金決済の２回目以降の決済情報を表示画面に表示させる第７のステップと、
を含むことを特徴とする、請求項６に記載のカード決済方法。
【請求項８】
前記情報処理装置が、前記継続課金決済の初回決済処理時に前記カード決済処理端末で読み込まれたカード情報をもとに、前記継続課金決済の２回目以降の決済処理を実行する第８のステップを
含むことを特徴とする、請求項７に記載のカード決済方法。
【請求項９】
前記決済センタが、契約情報と前記カード決済処理端末で読み込まれたカード情報とを対応付けて登録内容一覧として記憶する第９のステップを
含むことを特徴とする、請求項６に記載のカード決済方法。
【請求項１０】
前記決済センタが、前記実行された決済処理の情報と、前記承認番号とを対応付けて売上一覧として記憶する第１０のステップを
含むことを特徴とする、請求項６に記載のカード決済方法。
【発明の詳細な説明】
【技術分野】
【０００１】
本発明は、カード決済システム及びカード決済方法に関し、ＣＡＴ（Credit Authorization Terminal）端末を利用してカード決済処理をするカード決済システム及びカード決済方法に適用して好適なるものである。
【背景技術】
【０００２】
店舗でクレジットカードを利用して支払を行う際には、利用限度額を超過していないかなどをチェックして、カード会社が売上承認を行うオーソリゼーションと呼ばれる処理が行われる。具体的には、加盟店に設置されたＣＡＴ端末等を用いてクレジットカードから読み取ったカード番号等をカード会社のシステムに送信し、カード会社のシステムで当該クレジットカードが有効か否か、自己の発生したクレジットカードのリストに該当しないか、利用限度額を超過しないか、などの照会を行い、照会結果をＣＡＴ端末等に返信する。
【０００３】
また、最近では、クレジットカードを利用して、毎月発生するレンタル料金や家賃など、所定回数継続して課金させる決済も行われている。例えば、特許文献１では、一定金額の反復決済を行う際に、クレジットカードの情報を一度記憶させて、予め登録された保証期間や決済金額に基づいて、定期的な決済処理を反復して行うことが開示されている。
【０００４】
上記特許文献１では、予めホストコンピュータに登録された保証期間や決済金額に基づいて決済処理を実行しているが、店舗側で保証期間や決済金額などを登録して、各種業務に対応することが望まれている。また、店舗に備えられたＰＣ（Personal Computer）上に、ＣＡＴ端末で読み込まれたカード情報や決済結果を表示させたり、保証期間や決済金額などを入力したりして、店舗での利便性を向上させることが望まれている。
【先行技術文献】
【特許文献】
【０００５】
【特許文献１】特開２０１２−１６０１８７号公報
【発明の概要】
【発明が解決しようとする課題】
【０００６】
しかし、ＣＡＴ端末で読み込まれたカード情報をＰＣに表示させる場合には、店舗に備えられたＰＣとＣＡＴ端末とを１対１で接続する必要があり、ＣＡＴ端末を１台しか導入できない場合には、ＣＡＴ端末に接続されたＰＣでのみしか決済処理等を実行することができず、店舗内の複数人が同時に決済処理等を実行することができないという問題があった。
【０００７】
そこで、本実施の形態では、複数のＰＣやＰＯＳ端末で入力された決済情報が決済センタを介してＣＡＴ端末に提供され、ＣＡＴ端末で読み込まれたカード情報を用いて複数のＰＣで効率よく決済処理を実行することが可能な、カード決済システム及びカード決済方法を提案しようとするものである。
【課題を解決するための手段】
【０００８】
かかる課題を解決するために本発明においては、少なくとも１台のカード決済処理端末と、複数の情報処理装置と、決済センタとがネットワークを介して通信可能に接続されたカード決済システムであって、前記情報処理装置は、操作者の入力に応じて、所定回数継続して課金される継続課金決済の決済情報及び契約者の契約情報を前記決済センタに送信し、操作者の入力に応じて前記カード決済処理端末での前記継続課金決済を選択した場合に、前記決済センタに、前記決済情報及び前記契約情報とともに、前記カード決済処理端末での前記継続課金決済であることを通知し、前記決済センタは、前記決済情報を前記カード決済処理端末に送信し、前記カード決済処理端末で読み込まれたカード情報に基づいて、前記決済情報に含まれる決済処理を実行し、前記カード情報及び前記決済処理に対応する承認番号を前記情報処理装置に送信し、前記情報処理装置は、前記受信した承認番号及び前記実行された決済処理の内容を表示画面に表示させる、ことを特徴とする、カード決済システムが提供される。
【０００９】
また、かかる課題を解決するために本発明においては、少なくとも１台のカード決済処理端末と、複数の情報処理装置と、決済センタとがネットワークを介して通信可能に接続されたカード決済システムにおけるカード決済方法であって、前記情報処理装置が、操作者の入力に応じて、所定回数継続して課金される継続課金決済の決済情報及び契約者の契約情報を前記決済センタに送信する第１のステップと、前記情報処理装置が、操作者の入力に応じて前記カード決済処理端末での前記継続課金決済を選択した場合に、前記決済センタに、前記決済情報及び前記契約情報とともに、前記カード決済処理端末での前記継続課金決済であることを通知する第２のステップと、前記決済センタが、前記決済情報を前記カード決済処理端末に送信する第３のステップと、前記カード決済処理端末で読み込まれたカード情報に基づいて、前記カード情報及び前記決済処理に対応する承認番号を前記情報処理装置に送信する第４のステップと、前記情報処理装置が、前記受信した承認番号及び前記実行された決済処理の内容を表示画面に表示させる第５のステップと、を含むことを特徴とする、カード決済方法が提供される。
【発明の効果】
【００１０】
本発明によれば、複数のＰＣやＰＯＳ端末で入力された決済情報が決済センタを介してＣＡＴ端末に提供され、ＣＡＴ端末で読み込まれたカード情報を用いて複数のＰＣで効率よく決済処理を実行することができる。
【図面の簡単な説明】
【００１１】
【図１】本発明の一実施形態に係るカード決済システムの全体構成を示すブロック図である。
【図２】同実施形態にかかるＣＡＴ端末の外観構成を示す概念図である。
【図３】同実施形態にかかるＣＡＴ端末の機能構成を示すブロック図である。
【図４】同実施形態にかかるＰＣ及び決済センタの主な機能構成を示すブロック図である。
【図５】同実施形態にかかる契約情報テーブルの一例を示す図表である。
【図６】同実施形態にかかる決済情報テーブルの一例を示す図表である。
【図７】同実施形態にかかる登録情報テーブルの一例を示す図表である。
【図８】同実施形態にかかる売上情報テーブルの一例を示す図表である。
【図９】同実施形態にかかるカード決済処理を示すタイミングチャートである。
【図１０】同実施形態にかかる契約情報入力画面の一例を示す概念図である。
【図１１】同実施形態にかかる決済情報入力画面の一例を示す概念図である。
【図１２】同実施形態にかかる確認画面及び決済方法の選択画面の一例を示す概念図である。
【図１３】同実施形態にかかる決済画面の一例を示す概念図である。
【図１４】同実施形態にかかる決済情報画面の一例を示す概念図である。
【図１５】同実施形態にかかる登録内容一覧画面の一例を示す概念図である。
【図１６】同実施形態にかかる売上一覧画面の一例を示す概念図である。
【発明を実施するための形態】
【００１２】
以下図面について、本発明の一実施の形態を詳述する。
【００１３】
（１）カード決済システムの全体構成
まず、図１を参照して、カード決済システム１の全体構成について説明する。図１に示すように、カード決済システム１は、ＣＡＴ端末１０、ＰＣ２０ａ、ＰＣ２０ｂ、ＰＣ２０ｃ（以下、ＰＣ２０ａ、ＰＣ２０ｂ、ＰＣ２０ｃを総称してＰＣ２０として説明する場合もある。）、決済センタ３０、カード会社４０及びネットワーク５０から構成される。
【００１４】
ＣＡＴ端末１０及びＰＣ２０は、ネットワーク５０を介して決済センタ３０と通信可能に接続されている。具体的には、ＣＡＴ端末１０に挿入されたクレジットカード６０（以下、カード６０と称して説明する場合もある。）に記憶された各種情報が、ネットワーク５０を介して決済センタ３０に送信される。そして、当該情報が決済センタ３０からカード会社４０のシステムに送信され、カード会社４０のシステムで当該クレジットカードか有効か否か、自己の発生したクレジットカードのリストに該当しないか、利用限度額を超過しないか、などのオーソリゼーションと呼ばれる信用照会処理が行われ、照会結果がＣＡＴ端末１０に送信される。
【００１５】
ネットワーク５０は、例えば、インターネット、電話回線網、衛星通信網等の公衆回線網や、ＷＡＮ（Wide Area Network）、ＬＡＮ（Local Area Network）、ＩＰ−ＶＰＮ等の専用回線網などで構成されており、有線、無線を問わない。
【００１６】
また、本実施の形態では、ＰＣ２０から、カード６０を利用する利用者の契約情報や、決済情報などが入力され、当該情報が、ネットワーク５０を介して決済センタ３０に送信される。ＰＣ２０から入力された決済情報に基づいて、ＣＡＴ端末１０で決済を行う場合には、ＣＡＴ端末１０に決済情報が送信される。そして、ＣＡＴ端末１０に利用者のカード６０が挿入されると、カード６０に記憶された利用者の情報及び決済情報が決済センタ３０に送信され、決済センタ３０で信用照会処理が行われる。信用照会処理の結果は、ＣＡＴ端末１０に送信されるとともに、ＰＣ２０にも送信される。
【００１７】
例えば、ＰＣ２０に入力された決済情報が、所定期間のレンタル料金の決済や家賃など、月をまたいで所定回数継続して課金される継続課金決済の場合であったとする。この場合、ＰＣ２０から、所定回数分の決済日や決済金額などの継続課金決済の決済情報が入力される。そして、この継続課金決済をＣＡＴ端末１０で決済する際に、カード６０に記憶された利用者の情報がＣＡＴ端末１０で読み込まれ、当該情報が決済センタ３０に登録され、継続課金決済の初回決済が実行される。また、継続課金決済の２回目以降の決済については、初回決済時にカード６０に記憶された利用者の情報をもとに、照会処理や決済処理が実行される。
【００１８】
したがって、継続課金決済の場合に、初回決済時に利用者のカード６０をＣＡＴ端末１０に読み込むだけで、２回目以降の決済処理を実行することが可能となる。すなわち、決済センタ３０において、ＰＣ２０から入力された継続課金決済の情報が決済センタ３０からＣＡＴ端末１０に提供され、決済センタ３０において、ＰＣ２０から入力された継続課金決済の情報とＣＡＴ端末１０で読み込まれたカード６０の登録情報とを紐付けることにより、一度だけＣＡＴ端末１０にカード６０の情報を読み込ませれば、その後はＰＣ２０のみを利用して継続課金決済を行うことができる。
【００１９】
さらに、店舗に複数のＰＣ２０が設置されている場合には、初回決済時だけＣＡＴ端末１０を利用すればよいため、１台のＣＡＴ端末１０を複数のＰＣ２０で共用することが可能となる。
【００２０】
これにより、決済センタ３０を介して複数のＰＣ２０から入力された決済情報を、決済センタ３０に接続されたＣＡＴ端末１０に提供し、１台のＣＡＴ端末１０で読み込まれたカード情報を用いて店舗に設置された複数のＰＣ２０で複数の利用者の決済処理を同時に実行することが可能となり、ＣＡＴ端末１０を利用した継続課金決済処理の利便性を向上させることができる。以下では、カード決済システム１において実行される継続課金決済処理について詳細に説明する。
【００２１】
（２）ＣＡＴ端末の構成
次に、図２及び図３を参照して、ＣＡＴ端末１０の構成について説明する。図２は、ＣＡＴ端末１０の外観構成を示す概念図であり、図３は、ＣＡＴ端末１０の機能構成を示すブロック図である。図２に示すように、ＣＡＴ端末１０は、小型のカード決済処理端末であって、利用者の所有するカード６０からカード番号等のカード情報を読み取るカード読取部１１、入力された決済データ等を表示する表示画面１２、決済データ等を入力する入力ボタン１３及び決済内容を印字した決済伝票等を発行するプリンタ１４などを有する。入力ボタン１３は、決済処理や登録処理などを実行する処理ボタン及びテンキーなどから構成される。なお、入力ボタン１３に代えて、タッチパネルにより決済データ等を入力する構成としてもよい。
【００２２】
また、図３に示すように、ＣＡＴ端末１０は、制御部１０１、記憶部１０２、入力部１０３、表示制御部１０４、カード処理部１０５、出力部１０６及び通信制御部１０７などの機能を有する。
【００２３】
制御部１０１は、ＣＡＴ端末１０の動作を制御するためのＣＰＵなどで構成される。記憶部１０２は、決済結果などを記憶し、ＲＯＭ（Read Only Memory）やＲＡＭ（Random Access Memory）などで構成される。入力部１０３は、入力ボタン１３からの入力に基づいて入力信号を生成し、制御部１０１に出力する入力制御回路などから構成される。
【００２４】
表示制御部１０４は、制御部１０１から通知された決済結果等を表示画面１２に表示させる。カード処理部１０５は、カード読取部１１に読み取られたカード６０の各種情報を制御部１０１に転送する。出力部１０６は、制御部１０１に通知された決済結果等をプリンタ１４で印字させる。通信制御部１０７は、ネットワーク５０に接続するための通信デバイス等で構成された通信インタフェースである。
【００２５】
（３）ＰＣ及び決済センタの構成
ＰＣ２０及び決済センタ３０は、カード決済処理を実行するための情報処理装置である。図４を参照して、ＰＣ２０及び決済センタ３０の主な機能構成について説明する。
【００２６】
図４に示すように、ＰＣ２０は、主に、通信制御部２０１、演算処理部２０２、記憶部２０３及び表示制御部２０４などの機能を有する。
【００２７】
通信制御部２０１は、ネットワーク５０を介してＣＡＴ端末１０または決済センタ３０と通信を行うための通信デバイス等で構成された通信インタフェースである。演算処理部２０２は、ＣＰＵなどで構成され、記憶部２０３に記憶された各種プログラムや演算パラメータ等にしたがって、ＰＣ２０の動作を制御する。記憶部２０３は、ＲＯＭまたはＲＡＭなどから構成され、演算処理部２０２が使用するプログラムや演算パラメータなどを記憶する。表示制御部２０４は、ＣＡＴ端末１０で読み取られた情報や、決済センタ３０から送信された決済結果などをディスプレイなどの表示画面に表示させるインタフェースである。
【００２８】
また、決済センタ３０は、主に、通信制御部３０１、演算処理部３０２及び記憶部３１０などの機能を有する。通信制御部３０１は、ネットワーク５０を介してＣＡＴ端末１０またはＰＣ２０と通信を行うための通信デバイス等で構成された通信インタフェースである。演算処理部３０２は、ＣＰＵなどで構成され、記憶部３１０に記憶された各種プログラムや演算パラメータ等にしたがって、決済センタ３０の動作を制御する。
【００２９】
記憶部３１０は、ＲＯＭまたはＲＡＭなどから構成され、演算処理部２０２が使用するプログラムや演算パラメータなどを記憶する。また、予めＰＣ２０から入力された情報や決済処理後に登録された情報などを記憶する。例えば、記憶部３１０には、契約情報テーブル３１１、決済情報テーブル３１２、登録情報テーブル３１３及び売上情報テーブル３１４などが格納されている。各種情報については後で詳細に説明する。
【００３０】
（４）各種情報
次に、図５〜図８を参照して、上記した決済センタ３０に記憶されている各種情報について説明する。
【００３１】
図５は、契約情報テーブル３１１の一例を示す図表である。契約情報テーブル３１１は、ＰＣ２０の操作者によって入力された、継続課金決済の契約時の利用者属性を示す情報である。図５に示すように、契約情報テーブル３１１は、契約番号欄３１１０、契約者氏名（法人名）欄３１１１、電話番号欄３１１２、メールアドレス欄３１１３、債務保証契約欄３１１４及び担当者欄３１１５などから構成される。
【００３２】
契約番号欄３１１０には契約者を一意に識別する番号が格納される。契約者氏名（法人名）欄３１１１には、契約者の氏名または法人名を示す情報が格納される。電話番号欄３１１２には契約者の電話番号を示す情報が格納される。メールアドレス欄３１１３には、契約者のメールアドレスを示す情報が格納される。債務保証契約欄３１１４には、債務保証契約を付与するか否かを示す情報が格納される。担当者欄３１１５には、当該契約を担当した担当者を示す情報が格納される。
【００３３】
図５では、例えば、契約番号「2-140618-001」の契約者氏名は「田中一郎」、電話番号は「０９０−１１１１−１１１１」、債務保証契約が付与され、担当者が「山本」であることがわかる。
【００３４】
図６は、決済情報テーブル３１２の一例を示す図表である。決済情報テーブル３１２は、ＰＣ２０の操作者によって入力された、継続課金決済の決済内容を示す情報である。図６に示すように、決済情報テーブル３１２は、契約番号欄３１２０、契約開始日欄３１２１、契約完了日欄３１２２、月額料金欄３１２３及び承認番号欄３１２４から構成される。
【００３５】
契約番号欄３１２０には、当該契約の契約者を一意に識別する番号が格納され、上記した契約情報テーブル３１１の契約番号欄３１１０の番号と対応付けられる。契約開始日欄３１２１には、継続課金決済の契約開始日を示す情報が格納され、契約完了日欄３１２２には、継続課金決済の契約完了日を示す情報が格納される。月額料金欄３１２３には、継続課金決済の月額料金を示す情報が格納される。承認番号欄３１２４には、継続課金決済を一意に識別する承認番号が格納される。
【００３６】
図６では、例えば、契約番号「2-140618-001」の契約者が、2014年6月19日から2014年9月19日まで、月額１万円の継続課金決済の契約を行い、当該契約の承認番号が「1201944」であることがわかる。
【００３７】
図７は、登録情報テーブル３１３の一例を示す図表である。登録情報テーブル３１３は、契約された継続課金決済の登録内容を示す情報である。図７に示すように、登録情報テーブル３１３は、ＩＤ欄３１３０、登録番号欄３１３１、氏名欄３１３２、電話番号欄３１３３、メールアドレス欄３１３４、総額欄３１３５、回数欄３１３６及び初回欄３１３７から構成される。
【００３８】
ＩＤ欄３１３０には、登録情報を一意に識別する情報が格納される。登録番号欄３１３１には、登録された継続課金決済を一意に識別する情報が格納され、上記した契約番号と対応付けられている。氏名欄３１３２には、登録された継続課金決済の契約者の氏名を示す情報が格納される。電話番号欄３１３３には、契約者の電話番号を示す情報が格納される。メールアドレス欄３１３４には、契約者のメールアドレスを示す情報が格納される。総額欄３１３５には、登録された継続課金決済の総額を示す情報が格納される。回数欄３１３６には継続課金決済の課金回数が格納され、初回欄３１３７には継続課金決済の初回決済時の金額が格納される。
【００３９】
図７では、例えば、登録ＩＤ「１」及び登録番号「2-140618-001」の継続課金決済の契約は、「田中  一郎」が総額「464,948円」の契約を「3回」に分けて決済し、初回決済額は「110,264円」であることがわかる。
【００４０】
図８は、売上情報テーブル３１４の一例を示す図表である。売上情報テーブル３１４は、継続課金決済が決済された場合の売上の内容を示す情報である。図８に示すように、売上情報テーブル３１４は、Ｎо欄３１４０、サイト／店舗名欄３１４１、分割番号欄３１４２、処理日時欄３１４３、取引欄３１４４、カード下４桁欄３１４５、お客様名欄３１４６、承認番号欄３１４７、決済金額欄３１４８、商品名欄３１４９及び担当者欄３１５０から構成される。
【００４１】
Ｎо欄３１４０には、売上を一意に識別する番号が格納される。サイト／店舗名欄３１４１には、売上を計上したサイト名または店舗名を示す情報が格納される。分割番号欄３１４２には、当該売上情報が分割された決済の一部である場合に、分割された決済を識別する番号が格納される。処理日時欄３１４３には、当該決済が処理された日時を示す情報が格納される。取引欄３１４４には、当該決済の取引方法を示す情報が格納される。カード下４桁欄３１４５には、決済時に使用されたカードのカード番号の下４桁を示す情報が格納される。お客様名欄３１４６には、当該決済の契約者の氏名が格納される。承認番号欄３１４７には、当該決済の承認番号が格納される。決済金額欄３１４８には、当該決済の金額を示す情報が格納され、商品名欄３１４９には、当該決済の商品の名前を示す情報が格納される。担当者欄３１５０には、当該決済の契約を担当した担当者の氏名の情報が格納される。
【００４２】
（５）カード決済処理
次に、図９を参照して、カード決済システム１におけるカード決済処理について説明する。カード決済処理を説明するに際し、適宜、図１０〜図１４に示す表示画面例を参照して説明する。
【００４３】
図９に示すように、まず、ＰＣ２０において、契約情報が入力される（Ｓ１０１）。具体的に、ステップＳ１０１では、ＰＣ２０の操作者によって、図１０に示す契約情報入力画面６１０からカード利用者の契約情報が入力される。カード利用者の契約情報は、例えば、カード利用者の契約番号、契約者氏名、電話番号やメールアドレスなどの連絡先及び債務保証契約の有無などである。
【００４４】
続いて、ＰＣ２０において、決済情報が入力される（Ｓ１０２）。具体的に、ステップＳ１０２では、ＰＣ２０の操作者によって、図１１に示す決済情報入力画面６２０から、カード利用者が所望する決済情報が入力される。決済情報は、例えば、契約期間、決済料金、継続課金決済の場合には、初回の決済日や決済料金、２回目以降の決済日や決済料金などである。なお、決済料金やレンタル料金は、契約期間および決済料金の合計が入力されると、ＰＣ２０の演算処理部２０２により自動計算されて各回の決済日や決済料金が表示されてもよい。
【００４５】
ステップＳ１０１及びステップＳ１０２において、契約情報及び決済情報が入力された後、ＣＡＴ端末決済が選択されると、入力された契約情報及び決済情報が決済センタ３０に送信される（Ｓ１０３）。具体的に、ステップＳ１０１及びステップＳ１０２において契約情報及び決済情報が入力されると、ＰＣ２０の表示画面６３０に図１２に示す確認画面及び決済方法の選択画面が表示される。
【００４６】
そして、ＰＣ２０の操作者は、表示画面６３０に表示された契約情報及び決済情報を確認した後、当該決済の決済方法を選択する。ここで、決済方法は、ＣＡＴ端末１０を利用した決済の他、電子メールを利用した決済や、Ｗｅｂを利用した決済などを選択させるようにしてもよい。
【００４７】
ＣＡＴ端末１０を利用した決済の場合には、上記したように、ＣＡＴ端末１０にクレジットカードを挿入して決済処理が実行する。また、電子メールを利用した決済の場合には、利用者の所有する携帯端末やＰＣなどに決済処理を実行するためのＵＲＬが送られる。また、Ｗｅｂを利用した決済の場合には、ＰＣ２０からクレジットカード情報など決済に必要な情報を入力してクレジットカードの登録を行う。以下では、ステップＳ１０３においてＣＡＴ端末決済が選択された場合について詳細に説明する。
【００４８】
ステップＳ１０３において決済情報及び契約情報を送信された決済センタ３０は、契約情報を契約情報テーブル３１１に登録し（Ｓ１０４）、決済情報を決済情報テーブル３１２に登録する（Ｓ１０５）。
【００４９】
そして、決済センタ３０は、ステップＳ１０３において送信された決済情報をＣＡＴ端末１０に送信する（Ｓ１０６）。ステップＳ１０６においてＣＡＴ端末１０に決済情報が送信されると、ＣＡＴ端末１０の表示画面に図１３の決済画面６４０が表示される。決済画面６４０には、継続課金決済の初回の決済額が表示される。
【００５０】
そして、ＣＡＴ端末１０にクレジットカードが挿入されると、ＣＡＴ端末１０はクレジットカードに記憶されているカード番号等を読み込む（Ｓ１０７）。
【００５１】
そして、ステップＳ１０７で読み込んだ当該クレジットカードのカード情報を決済センタ３０に送信し（Ｓ１０８）、操作者の入力に応じて初回決済が実行されたことを決済センタ３０に通知する（Ｓ１０９）。
【００５２】
ステップＳ１０８で、ＣＡＴ端末１０からカード情報を送信され、ステップＳ１０９で初回決済の実行を通知された決済センタ３０は、当該クレジットカードの照会処理を実行して、ステップＳ１０５で登録した契約情報及び決済情報に基づいて、継続課金決済を完了する（Ｓ１１０）。
【００５３】
ステップＳ１１０で継続課金決済を完了した決済センタ３０は、当該決済に対応する承認番号をＰＣ２０に送信する（Ｓ１１１）。ステップＳ１１１において、承認番号がＰＣ２０に送信されると、ＰＣ２０の表示画面に図１３に示す表示画面６５０が表示される。
【００５４】
ＰＣ２０に表示される表示画面６５０には、継続課金決済の初回決済時の決済額と、クレジットカードのカード名義及びステップＳ１１１で送信された承認番号などが含まれ、操作者により取り込みボタン６５１が選択されると（Ｓ１１２）、図１４に示す初回決済が完了したことを示す決済情報画面６６０が表示される。
【００５５】
上記したように、ステップＳ１１１において、承認番号が決済センタ３０からＰＣ２０に送信されることにより、ＣＡＴ端末１０とＰＣ２０とが直接接続されていなくとも、ＰＣ２０においてＣＡＴ端末１０の決済情報を取り込むことが可能となる。例えば、複数の利用者がＣＡＴ端末１０を利用して継続課金決済を連続的に行う場合には、承認番号をもとにいずれの継続課金決済かを識別することが可能となる。
【００５６】
そして、ステップＳ１１２の取り込み処理により、カード６０の情報と、ＣＡＴ端末１０で実行された初回決済の情報がＰＣ２０に取り込まれると、カード６０の情報をもとに２回目以降の決済処理を継続して行うことが可能となる。具体的に、初回決済時は、ＣＡＴ端末１０で読み込まれたカード６０の情報が、決済センタ３０からカード会社４０のシステムに送信されてカード６０の信用照会処理が行われる。そして、２回目以降の決済時には、ＰＣ２０に取り込まれたカード６０の情報及び２回目以降の決済情報をもとに、カード６０の信用照会処理が行われる。
【００５７】
したがって、初回決済時にＣＡＴ端末１０でカード情報が読み込まれ、決済処理が実行されれば、その後はカード６０の情報をＣＡＴ端末１０で読み込まずとも継続課金決済処理を実行することが可能となり、１台のＣＡＴ端末１０を複数のＰＣ２０で効率的に利用することが可能となる。
【００５８】
ステップＳ１１２で、ＰＣ２０から決済情報の取り込みを選択されたことが決済センタ３０に通知されると、決済センタ３０は、決済が完了した決済情報を登録情報テーブル３１３に登録し、当該決済情報に対応する売上情報を売上情報テーブル３１４に登録する（Ｓ１１３）。
【００５９】
以上、カード決済システム１におけるカード決済処理について説明した。上記ステップＳ１１３で登録情報テーブル３１３及び売上情報テーブル３１４に登録された情報は、ＰＣ２０の表示画面で表示させることができる。
【００６０】
具体的に、登録情報テーブル３１３の内容が図１５に示す登録内容一覧としてＰＣ２０の表示画面６７０に表示される。また、売上情報テーブル３１４の内容が図１６に示す売上一覧としてＰＣ２０の表示画面６８０に表示される。
【００６１】
ＰＣ２０の操作者は、図１５に示す表示画面６７０に登録番号や契約者の氏名等を入力して、表示画面６８０に表示される登録内容一覧から該当する契約情報を検索して表示画面６７０に表示させることができる。また、ＰＣ２０の操作者は、図１６に示す表示画面６８０に期間などを入力して、当該期間に該当する売上情報を検索して表示画面６８０に表示させることができる。
【００６２】
（７）本実施の形態の効果
上記したように、本実施の形態によれば、ＣＡＴ端末１０と、複数のＰＣ２０と、決済センタ３０とがネットワーク５０を介して接続されたカード決済システム１において、ＰＣ２０で継続課金決済を実行するに際し、複数のＰＣ２０から入力された決済情報が決済センタ３０を介してＣＡＴ端末１０に送信され、初回決済時にＣＡＴ端末１０でカード６０の情報を読み込み、決済センタ３０において、ＰＣ２０から入力された継続課金決済の情報とＣＡＴ端末１０で読み込まれたカード６０の登録情報とが紐付けられ、２回目以降の決済時には、初回決済時に読み込んだカード６０の情報をもとに決済処理が実行される。これにより、店舗に設置された複数のＰＣ２０を利用して、１台のＣＡＴ端末１０を用いて複数の利用者の決済処理を同時に実行することが可能となり、ＣＡＴ端末１０を利用した継続課金決済処理の利便性を向上させることができる。
【符号の説明】
【００６３】
１０      ＣＡＴ端末
１１      カード読取部
１２      表示画面
１３      入力ボタン
１４      プリンタ
１０１    制御部
１０２    記憶部
１０３    入力部
１０４    表示制御部
１０５    カード処理部
１０６    出力部
１０７    通信制御部
２０      ＰＣ
２０１    通信制御部
２０２    演算処理部
２０３    記憶部
２０４    表示制御部
３０      決済センタ
３０１    通信制御部
３０２    演算処理部
３１０    記憶部
３１１    契約情報テーブル
３１２    決済情報テーブル
３１３    登録情報テーブル
３１４    売上情報テーブル
４０      カード会社
【図１】
2016218915.tif 000003
【図２】
2016218915.tif 000004
【図３】
2016218915.tif 000005
【図４】
2016218915.tif 000006
【図５】
2016218915.tif 000007
【図６】
2016218915.tif 000008
【図７】
2016218915.tif 000009
【図８】
2016218915.tif 000010
【図９】
2016218915.tif 000011
【図１０】
2016218915.tif 000012
【図１１】
2016218915.tif 000013
【図１２】
2016218915.tif 000014
【図１３】
2016218915.tif 000015
【図１４】
2016218915.tif 000016
【図１５】
2016218915.tif 000017
【図１６】
2016218915.tif 000018